(57)【要約】【課題】体圧分散機能に優れ、マット装置がやわらかくなじんで安定した使用感が得られる一方、腰部をしっかりと支持し、過剰な沈みこみが生じないマットレスを提供する。【解決手段】二層ウレタンフォーム１０，１１と、中綿１２を積層し、これを表布１４と裏布１５で覆ってキルティング加工により、縫製する。ウレタンフォーム１０，１１は低反発ウレタンフォームからなるとともに、ウレタンフォーム１１はプロファイル加工により、下面側に複数の波型の突起部１３を有している。【選択図】      図１
2004230062.tif 000002
【特許請求の範囲】
【請求項１】
複数並設したスプリングユニットの上下面に詰め物を内装した外装体で覆うマットレス装置において、前記外装体は、少なくとも詰め物として複数の突起部を形成したウレタンフォームを備え、このウレタンフォームと表布、裏布とをキルティング加工して一体的に縫製したことを特徴とするマットレス装置。
【請求項２】
前記外装体は、詰め物として複数層のウレタンフォームを備え、その少なくとも一層のウレタンフォームに複数の突起部を形成したことを特徴とする請求項１記載のマットレス装置。
【請求項３】
前記ウレタンフォームとして低反発ウレタンフォームを用いたことを特徴とする請求項１又は２記載のマットレス装置。
【発明の詳細な説明】
【０００１】
【発明が解決しようとする課題】
本発明は、複数並設したスプリングユニットの上下面に詰め物が内装する外装体で覆ったマットレス装置に関する。
【０００２】
【従来の技術】
従来から、特許文献１に示すように、スプリングユニットとウレタンフォームとを積層したマットレス装置が知られている。このようなマットレス装置は、快適な安眠が得られるように、種々の工夫がなされている。
【０００３】
例えば硬すぎるマットレスでは、身体が局部的に大きな圧力を受け、その部分の毛細血管が圧迫されるためにしびれを感じて頻繁に寝返りを打たざるを得ず、安眠できないという問題や、寝たきりの老人などのように寝返りを打てない人の場合に、毛細血管の破壊等に起因して褥瘡が生じるといった問題が生じる。
【０００４】
【特許文献１】
特開平６−２５３９５５号
【０００５】
【発明が解決しようとする課題】
そこで、ウレタンフォームを柔軟な素材を用いるなどしているが、このような場合、身体が沈み込みすぎて、かえって寝心地が悪くなったり、寝返りも打ちにくくなったりすることがある。特に、ベッドに敷設するマットレス装置は、ボリュームのある高級感を与えるために、スプリングユニットを上下二段に重ねたり、スプリングユニットの上下に重ね合わせるウレタンフォームの厚さを増すなどしてマットレス装置の厚さを厚くしており、柔軟、すなわち高反発ウレタンフォームを採用するマットレス装置は、身体が沈み込みすぎて、かえって寝心地が悪くなる。こうしたマットレスでは、健康に悪影響を与えるおそれがあり、特に背骨や腰に故障がある人では、痛みを生じたり、症状を悪化させることにもなりかねない。
【０００６】
そこで、本発明は、マットレス装置自体の厚さを厚くしてボリューム感のある高級感を与えるとともに、過度の沈み込みを防止して、体圧分散性能が良く寝心地の良い寝具を提供することを目的とする。
【０００７】
【課題を解決するための手段】
本発明の請求項１に記載のマットレス装置は、複数並設したスプリングユニットの上下面に詰め物を内装した外装体で覆うマットレス装置において、前記外装体は、少なくとも詰め物として複数の突起部を形成したウレタンフォームを備え、このウレタンフォームと表布、裏布とをキルティング加工して一体的に縫製したものである。
【０００８】
これにより、詰め物として用いるウレタンフォームがずれ動くのを防止することができるとともに、外装体の表面にボリューム感のある立体的な凹凸部が形成され、ボリュームのある高級感を与えることができる。また、就寝時に突起部が部分的に押しつぶされて荷重が分散し、優れた体圧分散機能を有する
また、請求項２のマットレス装置は、請求項１記載のマットレス装置において、前記外装体は、詰め物として複数層のウレタンフォームを備え、その少なくとも一層のウレタンフォームに複数の突起部を形成したものである。
【０００９】
これにより、就寝時において人の身体の表面の凹凸形状にやわらかくなじんで安定した使用感が得られる。
【００１０】
また、請求項３のマットレス装置は、請求項１又は２記載のマットレス装置において、前記ウレタンフォームとして低反発ウレタンフォームを用いたものである。
【００１１】
これにより、身体の凹凸形状に沿ってマット装置がやわらかくなじんで安定した使用感が得られる一方、腰部をしっかりと支持し、過剰な沈みこみが生じない。
【００１２】
【発明の実施の形態】
以下、本発明に係る実施の形態を図１〜図６に基づいて説明する。同図において、マットレス装置１は、内部する多数のコイルスプリング２を行列状に配置したスプリングユニット３を有している。このスプリングユニット３の上下にはクッション性を備えた外装体５，６が積層され、この各外装体５，６と前記スプリングユニット２の周囲を被覆する横布７とを縫製してスプリングユニット３の周囲を外装体５，６と横布７とで被覆している。
【００１３】
前記外装体５，６は、詰め物として上下に重ねた二層ウレタンフォーム１０，１１と、中綿１２を積層し、これを表布１４と不織布から成る裏布１５で覆って縫製（多針クルト）している。積層した二枚のウレタンフォーム１０，１１は、下側のウレタンフォーム１０は厚さが１０ｍｍ程度のシート状であり、上側のウレタンフォーム１１は、プロファイル加工により下面側に複数の波型の突起部１３を有して凹凸状に形成され、上縁から突起部１３の頂点が５０ｍｍである。また、ウレタンフォーム１０、１１は、比重０．０３３で硬さ５（Ｎ）程度の低反発ウレタンフォームから成る。
【００１４】
そして、この二層ウレタンフォーム１０，１１と、中綿１２を順次積層し、このウレタンフォーム１０，１１を重ねるように、表布１４と裏布１５とを３６〜６０ｍｍのピッチで縫製し、キルティング加工を施すことにより、外装体５，６の表面に凹凸部１８を形成している。また、外装体５，６と前記スプリングユニット３との間にはフェルト層２０が介在してある。
【００１５】
なお、上下の外装体５，６と横布７とは縁布２１を介して一体的に縫製されている。
【００１６】
以上のように構成される本実施例においては、二層ウレタンフォーム１０，１１と、中綿１２を積層し、これを表布１４と裏布１５で覆ってキルティング加工により、縫製することにより、これらがずれ動くのを防止することができるとともに、ウレタンフォーム１０，１１は低反発ウレタンフォームからなり、比較的硬いものが使用されるが、プロファイル加工により、下面側に複数の波型の突起部１３を有して凹凸状に形成されているから、就寝時に突起部１３が部分的に押しつぶされ硬さ５（Ｎ）程度の低反発ウレタンフォームであっても、２．５（Ｎ）まで半減する。このように突起部１３が部分的に押しつぶされて荷重が分散し、優れた体圧分散機能を有するとともに、就寝時において人の身体の表面の凹凸形状にやわらかくなじんでウレタンフォーム１０，１１が容易に弾性変形する一方、ウレタンフォーム１０，１１自体が低反発ウレタンフォームであるから、腰部をしっかりと支持し、過剰な沈みこみが生じない。これにより、図５に示すように、仰臥時に使用者Ａの背骨が略Ｓ字状の自然な形状に保たれると共に安定した使用感が得られ、寝返りも容易となる。また、一定の厚みを有するウレタンフォームに比べ、プロファイル加工を施したウレタンフォーム１１は、重量も大幅に減少することが可能であって取り扱いも容易であるとともに、ウレタンフォーム１１自体の厚さ（一端面から突起部１３の頂点まで距離）は維持できるから、外装体５，６の厚さを確保でき、二層ウレタンフォーム１０，１１と、中綿１２を表布１４と裏布１５で覆ってキルティング加工により、縫製することにより外装体５，６の表面にボリュームのある立体的な凹凸部１８が形成され、マット装置１に高級感を与えることができる。
【００１７】
以上、本発明の一実施例を詳術したが、本発明は、前記実施例に限定されるものではなく、本発明の要旨の範囲内で種々の変形実施が可能である。例えば、前記実施例では、詰め物として二層ウレタンフォーム１０，１１と、中綿１２を積層した例を示したが、シート状のウレタンフォーム１０や中綿１２を省略し、プロファイル加工したウレタンフォーム１１のみであってもよく、内部に詰める素材やウレタンフォームを何層とするかあるいは、ウレタンフォーム１０，１１の比重や硬さなど使用者Ａの身長、体重などに応じて適宜選定すればよい。さらに、図６に示すように、外装体５，６とスプリングユニット３との間にフェルト２０とプロファイル加工したウレタンフォーム３０とを介在させてもよい。また、前記実施例では、下側に突起部１３が形成されるように、ウレタンフォーム１１を配置した例を示したが、上側に突起部１３を形成するようにウレタンフォーム１１を配置してもよい。
【００１８】
【発明の効果】
以上述べたように、請求項１のマットレス装置は、複数並設したスプリングユニットの上下面に詰め物を内装した外装体で覆うマットレス装置において、前記外装体は、少なくとも詰め物として複数の突起部を形成したウレタンフォームを備え、このウレタンフォームと表布、裏布とをキルティング加工して一体的に縫製したものであるから、詰め物として用いるウレタンフォームがずれ動くのを防止することができるとともに、外装体の表面に立体感のある凹凸部が形成され、ボリューム感のある高級感を与えることができる。また、就寝時に突起部が部分的に押しつぶされて荷重が分散し、優れた体圧分散機能を有する。
【００１９】
また、請求項２のマットレス装置は、請求項１記載のマットレス装置において、前記外装体は、詰め物として複数層のウレタンフォームを備え、その少なくとも一層のウレタンフォームに複数の突起部を形成したものであるから、ウレタンフォームを複数とすることにより、就寝時において人の身体の表面の凹凸形状にやわらかくなじんで安定した使用感が得られるとともに、外装体の表面により立体感のある凹凸部が形成され、ボリューム感のある高級感を与えることができる。
【００２０】
また、請求項３のマットレス装置は、請求項１又は２記載のマットレス装置において、前記ウレタンフォームとして低反発ウレタンフォームを用いたものであるから、身体の凹凸形状に沿ってマット装置がやわらかくなじんで安定した使用感が得られる一方、腰部をしっかりと支持し、過剰な沈みこみが生じない。
【図面の簡単な説明】
【図１】本発明の一実施例を示すマットレス装置の要部の拡大断面図である。
【図２】同上マットレス装置の全体断面図である。
【図３】同上外装体を示す一部を切り欠いた斜視図である。
【図４】同上マットレス装置の全体斜視図である。
【図５】同上使用状態を示す概略説明図である。
【図６】本発明の変形例を示す要部の拡大断面図である。
【符号の説明】
１  マットレス装置
３  スプリングユニット
５，６  外装体
８  開閉扉
１１，１２，３０  ウレタンフォーム
１３  突起部
１４  表布
１５  裏布
【図１】
2004230062.tif 000003
【図２】
2004230062.tif 000004
【図３】
2004230062.tif 000005
【図４】
2004230062.tif 000006
【図５】
2004230062.tif 000007
【図６】
2004230062.tif 000008